(57)【要約】【課題】近時、軽量化と低廉化を図るため、引出を構成する側板が金属製であり、他の構成部分が木製である家具が使われるようになってきた。該家具に引出を閉めるときに勢いを緩衝させ、引出を完全に奥方に閉める引き込み装置を設置する場合、引き込み装置を作動させる作動体を金属製の側板に取り付けることができなかった。【解決手段】本発明は、断面Ｌ字型の固定具の垂直面に作動体を取り付け、固定具の底面を引出の底板に木ネジで取り付けたものである。本発明は、作動体の取り付けが容易であるとともに、正確な位置に取り付けることができる。【選択図】図１
2008264438.tif 000002
【特許請求の範囲】
【請求項１】
家具の引出は側板が金属製であり、底板が木製であって、側板にはスライドレールが形成されており、家具本体の側壁には引出のスライドレールを摺動させるガイドレールが取り付けられているとともに、該ガイドレールの近傍には引込み装置が取り付けられており、しかも引出の底板には断面Ｌ字型の固定具が取り付けられ、該固定具の垂直面に作動体が取り付けられていて、さらに家具本体の側壁には作動体で作用させることのできる引き込み装置が取り付けられていることを特徴とする家具。
【発明の詳細な説明】
【技術分野】
【０００１】本発明は、厨房用家具、オフィス家具、キャビネット等、引出が収納された家具に関する。
【背景技術】
【０００２】家具の引出は、無蓋の箱状であり、家具の正面となる位置に前板、家具の奥方となる位置に奥板、前板と奥板間の両側に一対の側板、そして物を乗せる底板、から構成されている。【０００３】一般に、家具の引出は、前板、奥板、側板、底板の全ての構成部が木製であるもの（以下、全木製引出という）と全ての構成部が金属製であるもの（以下、全金属製引出という）がある。全木製引出は、高級感があり、またインテリアデザイン的にも優れているが、材料費が高いこと、重量が重いこと、等から所謂高級家具に多く採用されている。一方、全金属製引出は構成部分をプレスで打ち抜き、それらをスポット溶接で部分的に接合するだけで容易に製造できることから全木製引出に比べて安価であるが、高級感に劣っている。そこで全金属製引出はオフィス家具やキャビネット等のように大量に使用される家具に採用されている。【０００４】ところで、和服用箪笥にみられるように、かつての家具は引出が仕切り板の上に直接乗せられ、引出が仕切り板上で摺動することにより引出の開け閉めが行なわれていた。しかしながら、この形の家具は引出の中に重い物が収納されていたり、仕切り板と引出しとの滑りが悪くなったりすると、引出しの開け閉めが困難となるものであった。【０００５】そこで従来より家具本体と引出には引出用レールが取り付けられていた。この引出用レールとは、ガイドレールとスライドレールからなるものであり、引出用レールの一方、たとえばガイドレールを家具本体の側壁に取り付け、もう一方のスライドレールを引出の側板に取り付ける。ガイドレールとスライドレール間には多数のボールベアリングを有するリテーナが配置されていたり、戸車が取り付けられていたりして、摺動性を良好にしている。【０００６】一般に、全木製家具は、製造業者で家具の構成部分を製造し、販売業者で組み立てるというノックダウン方式が採られている。このノックダウン方式は、家具の構成部分を重ねて大量に搬送できるため、搬送コストが廉価となるばかりでなく、倉庫に在庫する場合も在庫スペースを大きくとらなくてもすむというメリットがある。【０００７】全木製家具の多くはノックダウン方式により販売店で組み立てられるが、引出用レールも販売店で組み立てるときに家具の本体側壁と引出の側板に取り付けていた。つまり家具製造工場で家具本体の側壁や引出の側板に引出用レールを取り付けてしまうと、構成部材を重ねたときに、引出用レールが破損したり該引出用レールで構成部分が傷付けられたりするからである。【０００８】一方、全金属製家具は、ノックダウン方式では組み立てられない。なぜならばスポット溶接装置のような特殊な装置がどこにでもあるものではないからである。しかも引出用レールは、軽量・簡素化するため、引出用レールが外出と一体化している。つまり引出に取り付けるスライドレールは、一般の引出用レールのように特別に製造されたものではなく、簡単な形状、たとえば引出側板の上部から横方に張り出た細長い板状のようなものであり、この板状レールは引出と一体化している。【０００９】近時、高級感のある全木製家具の軽量化と低廉化を図るため、引出の一部を安価で軽量の金属を用いた家具が製造されるようになってきた。この家具とは、引出の前板、奥板、底板を木製にし、一対の側板だけを金属性にしたもの（以下、混製家具という）である。この混製家具の引出は、従来の全木製家具の引出に比べて大変に軽量となり、また高価な引出用レールを使用しないため廉価であって、しかも全ての構成部分は分解して搬送できるためノックダウン方式も可能という全木製家具と全金属製家具の優れた点を兼ね備えたものである。【００１０】ところで引出用レールを取り付けた家具では、滑りが非常に良好であるため、引出を勢いよく押し込むと引出しが家具の奥壁に強く当たって、その反動で引出が少し開いてしまったり、奥壁を破損したり、さらには引出の中に整頓して置かれていた収納物が崩れたりすることがあった。【００１１】このような滑りのよすぎることによる問題に鑑み、従来より引出を閉めたときに、引出しの勢いを緩めて奥壁に強く当たるのを防ぐ引込み装置が提案されていた。この引込み装置とは、ケースの内部にダンパーが設置され、該ダンパーで引出を緩衝させるものである。（特許文献１〜３）引込み装置は、家具側壁か、或いは引出の側板に取り付ける。そして該引込み装置を作動させる作動体は引き込み装置を家具の側壁に取り付けた場合は、引出の側壁に取り付けるものである。
【特許文献１】特開２００３−２１０２６７号公報
【特許文献２】特開２００５−２０４７９０号公報
【特許文献３】特開２００５−２３０４６８号公報
【発明の開示】
【発明が解決しようとする課題】
【００１２】  全木製家具の引出に作動体を取り付ける場合、木製の側板に木ネジで簡単に取り付けることができるが、混製家具では引出の側板が金属であるため容易に取り付けることはできない。つまり金属製の側板に作動体を取り付ける場合、作動体に穿設された取り付け穴と全く同一位置に穴を正確に穿設しなければならない。この穿設作業は、特殊な加工工具を用い、しかも熟練を要するものである。つまり硬い金属の側板の所定の位置に作動体を移動しないように置き、作動体のネジ穴と全く同一位置に穴を開けなければならない、という手間のかかる作業を行わなければならないからである。【００１３】しかしながらノックダウン方式で家具の組み立てを行う販売店では金属に穿設できるような特殊な工具を用意しているようなところは、ほとんどなく、側板だけを金属加工工場に運んで穿設作業を行なわなければならなかった。本発明は、混製家具の引出への作動体の取り付けが極めて容易に行なえるばかりでなく、特殊な工具を必要とせず、だれでもが容易にしかも正確に取り付けることができるという家具を提供することにある。
【課題を解決するための手段】
【００１４】本発明者は、木製部分は木ネジを容易に螺入することができること、そして混製家具の引出は底板が木製であることに着目して本発明を完成させた。【００１５】本発明は、家具の引出は側板が金属製であり、底板が木製であって、側板にはスライドレールが形成されており、家具本体の側壁には引出のスライドレールを摺動させるガイドレールが取り付けられているとともに、該ガイドレールの近傍には引込み装置が取り付けられており、しかも引出の底板には断面Ｌ字型の固定具が取り付けられ、該固定具の垂直面に作動体が取り付けられていて、さらに家具本体の側壁には作動体で作用させることのできる引き込み装置が取り付けられていることを特徴とする家具である。
【発明を実施するための最良の形態】
【００１６】以下、図面に基づいて本発明を説明する。図１は本発明家具の斜視図、図２は本発明に使用する引き込み装置の正面断面図、図３は作動体を取り付ける固定具の斜視図、図４は作動体を前側から見た斜視図、図５は作動体を後側から見た斜視図、図６は固定具に作動体を取り付けた斜視図、図７は同平面断面図、図８は同側面断面図である。【００１７】図１において一点鎖線で示す家具本体１０は前方が開放された箱状であり、天部１１、底部１２、奥部１３、側壁１４、１４から構成されている。【００１８】引出２０は、無蓋の箱状であり、前述家具本体１０に容易に挿入できるようになっている。引出２０は、前板２１、奥板２２、底板２３、一対の側板２４、２４から構成されている。引出の前板２１、奥板２２、底板２３は木製であるが、一対の側板２４、２４は薄い鉄板のような金属でできている。鉄板自体の比重は木よりも大きいが、木と同じ強度にした場合、その厚さは１／２０ですみ、その結果、重量は木よりも大分少なくできるばかりでなく、材料価格や製造価格も木よりも安価となる。該金属製の側板の上部には板状のスライドレール２５が折り曲げ加工で側板と一体、または側板に溶接やカシメ加工等で一体形成されている。【００１９】家具本体の側壁１４、１４の内側にはガイドレール１５、１５が取り付けられている。このガイドレールは、前述引出２０のスライドレール２５を摺動自在に出入りできるものである。ガイドレールとスライドとレール間には、スライドレールの摺動性を良好にするため、戸車が設置されている。【００２０】また家具本体１０の側壁内側でガイドレール近傍には、引き込み装置３０が取り付けられている。引込み装置とは、引出を勢いよく閉めたときに、引出の勢いを緩衝させて引出が家具本体の奥部に強く当たるのを防ぐとともに、引出を完全に閉めず、途中で止めても引出を完全に奥方まで閉めるというものである。【００２１】ここで本発明に使用して好適な引き込み装置を図２で簡単に説明する。引き込み装置３０は、ケース３１、ランナー３２、引張りバネ３３、ダンパー３４から構成されている。ケース３１には両側横方にガイド溝３５が長手方向水平に形成されており、先端部が斜め下方に屈曲した屈曲部３６となっている。ランナー３２は第一ガイドピン３７と第二ガイドピン３８が横方に突出しており、これらのガイドピンがガイド溝３５内を移動するようになっている。そしてランナー３２の下方には第一係止片３９、第二係止片４０が下方に突出して形成されている。【００２２】引張りバネ３３は、一端がランナー３２に係止され、他端がケース３１の端部に係止されており、常時、ランナー３２を引っ張っている状態となっている。ダンパー３４は、シリンダー４１内にピストン４２が移動自在に設置されている。該ピストンにはロッド４３が固定されており、さらにロッド４３の先端は前述ランナー３２に係合されている。ダンパー３４は、シリンダー４１内でピストン４２が移動するするときに、空気を徐々に流出させることにより、勢いよく移動するランナーの移動を緩衝させるものである。【００２３】上記構造からなる引き込み装置でのランナーの移動について説明する。ランナー３２は引張りバネ３３に引っ張られており、ガイド溝３５の水平部奥方に位置している。この引張りバネのバネ力に抗してランナー３２を移動させると、ランナー３２の第一ガイドピン３７と第二ガイドピン３８はガイド溝３５内を移動する。すると第一ガイドピン３７はガイド溝３５の屈曲部３６の端部に位置し、第二ガイドピン３８は水平部に位置する。この状態では引張りバネ３３長く伸ばされているため、ランナー３２に対して引き戻す大きな力が働いているが、ランナー３２にかかっている力を外しても、第一ガイドピン３７がガイド溝３５の屈曲部３６に引っ掛かっているため、ランナーはロックされた状態となって、この位置に留まる。このときランナー３２は図２の二点鎖線で示すように傾斜しているため、第一係止片３９はケース３１内に没しており、第二係止片４０がケースから突出している。【００２４】ランナー３２がガイド溝３５の水平部の最奥にある状態の引き込み装置において、ランナーの第一ガイドピン３７をガイド溝３５の屈曲部３６に移動させるには、作動体で行う。引き込み装置を家具本体の側壁内側に取り付けた場合、作動体は引出に取り付ける。作動体の引出への取り付け箇所は、側板である。前述のように全木製家具の引出であれば、作動体に穿設した穴に木ネジを通して引出の木製の側板に直接取り付けることができるが、混製家具は引出の側板が金属製であるため、該側板に木ネジで作動体を取りつけることはできない。そこで本発明では、引出の木製の底板に断面Ｌ字型の固定具を取り付け、該固定具の垂直面に作動体を取り付けるようにした。【００２５】固定具５０は断面Ｌ字型で底面５１には複数の穴５２・・が穿設されており、垂直面５３には二箇所に傾斜した係合突起５４、５５が形成されている。係合突起５４、５５は矩形の板状であり、矩形の三辺を切って斜めに掘り起こしたものである。係合突起５４と５５は掘り起こした箇所が向かい合っている。また二つの係合突起５４、５５間には、横方に長い嵌合溝５６が形成されている。【００２６】作動体６０は、前側に第一凸部６１、第二凸部６２が形成されており、その間が凹部６３となっている。はこれらの凸部６１、６２の反対側には斜めに第一切り込み６４と第二切り込み６５が刻設されている。第一凸部６１の第一切り込み６４は前述固定具の係合突起５４と略同一形状であり、第二凸部６２の第二切り込み６５は係合突起５５と略同一形状であって、その形成位置もそれぞれの係合突起と一致するところである。両切り込み６４、６５の中間には固定具５０の嵌合溝５６略同一形状の細長い嵌合突起６６が形成されている。【００２７】図６〜８に示すように、作動体６０は固定具５０に取り付けるものであり、その取り付けは、固定具の係合突起５４に作動体の第一切り込み６４を係合し、係合突起５５に第二切り込み６５を係合させる。この係合は作動体６０を上方から降ろして、両係合突起５４、５５に両切り込み６４、６５を挿入させ、嵌合溝５６に嵌合突起６６を嵌合させることにより行う。【００２８】  このようにして固定具５０に作動体６０を嵌合させたならば、固定具５０の底面５１を引出２０の底板２３の裏側に置き、固定具の底面に穿設された穴５２・・から木ネジを螺入して固定具５０を取り付ける。こ���とき固定具５０に嵌合した作動体６０は引出２０の側板２４の外側に平行にする。作動体の取り付け位置は、引出２０を閉めるときに、作動体６０の第一凸部６１が引き込み装置３０の第二係止片４０に当たり、第二係止片を奥方に移動させるとともに、ケース３１から突出してきた第一係止片３９を凹部６３内に挟み込むことのできる位置である。【００２９】  ここで本発明における引出の開け閉めについて説明する。閉まった状態の引出は、引き込み装置３０のランナー３２が引っ張りバネ３３で引っ張られて家具本体１の最奥に位置している。このとき引き込み装置３０の第一係止片４０は、作動体６０の凹部６３内にある。引出を開けるとき、第二凸部６２が第一係止片４０を押しながらランナー３２を引出の入口方に移動させる。そして引出が大きく開けられたときに、第一係止片３９がケース３１内に没し、第二凸部６１が第一係止片３９から外れる。【００３０】  引出を閉めるときは、引出に取り付けた作動体６０の第一凸部６１が引き込み装置３０の第二係止片４０に当たり、ランナー３２を奥方に押しやると、ケース３１内に没していた第一係止片３９がケース内からでてくる。そして引出が勢いよく押し込まれてもロッド４３を介してランナー３２に係合されたピストン４２がこの勢いを弱めるとともに、引っ張りバネ３３がランナー３２をゆっくりと最奥まで引き込む。その結果、勢いよく閉められた引出は勢いが緩衝され、しかも途中で止まることなく完全に閉められるものとなる。
【産業上の利用可能性】
【００３１】  本発明は、引出の側板が金属製であり、その他の構成部分が木製の混成家具について説明したが、作動体を正確な位置に取り付けることができることから、引出の構成部分全てが木製の家具にも適応できることはいうまでもない。
【図面の簡単な説明】
【００３２】
【図１】本発明家具の斜視図
【図２】本発明に使用する引き込み装置の正面断面図
【図３】作動体を取り付ける固定具の斜視図
【図４】作動体を前側から見た斜視図
【図５】作動体を後側から見た斜視図
【図６】固定具に作動体を取り付けた斜視図
【図７】同平面断面図
【図８】同側面断面図
【符号の説明】
【００３３】  １  家具本体
１４  家具本体の側壁
１５  ガイドレール
２０  引出
２１  前板
２２  奥板
２３  底板
２４  側板
２５  スライドレール
３０  引き込み装置
５０  固定具
６０  作動体
【図１】
2008264438.tif 000003
【図２】
2008264438.tif 000004
【図３】
2008264438.tif 000005
【図４】
2008264438.tif 000006
【図５】
2008264438.tif 000007
【図６】
2008264438.tif 000008
【図７】
2008264438.tif 000009
【図８】
2008264438.tif 000010